【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】放射線検出器及びＸ線ＣＴシステム
【手続補正２】
【補正対象書類名】明細書
【補正対象項目名】特許請求の範囲
【補正方法】変更
【補正の内容】
【特許請求の範囲】
【請求項１】
入射する放射線を電気信号に変換する放射線検出手段と、
この放射線検出手段により変換された電気信号を束ねるもしくは選択する束ね・選択手段と、
この束ね・選択手段により束ねるもしくは選択された電気信号を取り出す配線手段と、
前記放射線検出手段と前記束ね・選択手段との間と、前記束ね・選択手段と配線手段との間を電気的に接続する接続手段と、
を有し、前記束ね・選択手段の出力信号線の数を放射線検出手段の出力信号線の数より減少させることを特徴とする放射線検出器。
【請求項２】
前記接続手段は、ワイヤボンディングもしくはバンプボンディングにより前記放射線検出手段と前記束ね・選択手段との間と、前記束ね・選択手段と配線手段との間を電気的に接続することを特徴とする請求項１記載の放射線検出器。
【請求項３】
前記放射線検出手段は、入射する放射線を光に変換する放射線−光変換手段と、この放射線−光変換手段により変換された光を電気信号に変換する光−電気信号変換手段とを有することを特徴とする請求項１記載の放射線検出器。
【請求項４】
前記放射線検出手段は、入射する放射線を電気信号に変換する半導体検出器であることを特徴とする請求項１記載の放射線検出器。
【請求項５】
入射する放射線を光に変換するシンチレータ素子を２次元状に配列したシンチレータと、
前記シンチレータ素子からの光を電気信号に変換するフォトダイオードを２次元状に配列したフォトダイオードアレイと、
前記フォトダイオードアレイにより変換された電気信号を束ねるもしくは選択する束ね・選択手段と、
この束ね・選択手段により束ねるもしくは選択された電気信号を取り出す配線手段と、
を有し、束ね・選択手段の出力信号線の数を前記フォトダイオードアレイの出力信号線の数より減少させ、前記フォトダイオードアレイと前記束ね・選択手段との間と、前記束ね・選択手段と前記配線手段との間をワイヤボンディングもしくはバンプボンディングにより電気的に接続することを特徴とする放射線検出器。
【請求項６】
前記束ね・選択手段は、前記放射線検出手段または前記フォトダイオードアレイにより変換される電気信号を外部からの制御信号に基づいて切り換える切り換え手段を有することを特徴とする請求項１または請求項５のいずれか記載の放射線検出器。
【請求項７】
前記束ね・選択手段は、片面に電気回路を構成したものもしくは絶縁層を挟んで両面に電気回路を構成したものであることを特徴とする請求項１または請求項５のいずれか記載の放射線検出器。
【請求項８】
Ｘ線を曝射するＸ線管と、
このＸ線管から曝射されたＸ線を検出する放射線検出器と、
この放射線検出器の出力を収集するデータ収集部と、
このデータ収集部により収集された信号に基づき画像を再構成する画像再構成部を備えたＸ線ＣＴシステムにおいて、
前記放射線検出器は、
プリント配線板と、
このプリント配線板に設けられ、シンチレータによりＸ線から変換された光を電気信号に変換するマトリックス状のフォトダイオードアレイと、
前記プリント配線板に設けられ、前記フォトダイオードアレイにより変換された電気信号を束ねる若しくは選択するスイッチ部と、
このスイッチ部により束ね若しくは選択された電気信号を外部に取り出すためのフレキシブルプリント基板とを備えたことを特徴とするＸ線ＣＴシステム。
【請求項９】
前記スイッチ部は、前記電気信号を供給する複数の入力側信号線及び出力側信号線と、前記入力側信号線と出力側信号線との間に複数のスイッチを備え、前記入力側信号線より前記出力側信号線の数が少ないことを特徴とする請求項８記載のＸ線ＣＴシステム。
【請求項１０】
前記フレキシブル基板からの電気信号は、コネクタ、プリント配線基板を介して前記データ収集部に供給されることを特徴とする請求項８又は請求項９記載のＸ線ＣＴシステム。
【請求項１１】
前記フォトダイオードアレイと前記スイッチ部、及び前記スイッチ部と前記フレキシブルプリント基板とをワイヤにより電気的に接続するワイヤボンディング部を更に備える特徴とする請求項８、９、１０のいずれか１項記載のＸ線ＣＴシステム。
【請求項１２】
前記フォトダイオードアレイと前記スイッチ部、及び前記スイッチ部と前記フレキシブルプリント基板とをバンプにより電気的に接続するバンプボンディング部を更に備える特徴とする請求項８、９、１０のいずれか１項記載のＸ線ＣＴシステム。
【請求項１３】
前記フォトダイオードアレイと前記スイッチ部とをワイヤにより電気的に接続するワイヤボンディング部と、前記スイッチ部と前記フレキシブルプリント基板とをバンプにより電気的に接続するバンプボンディング部とを更に備える特徴とする請求項８、９、１０のいずれか１項記載のＸ線ＣＴシステム。
【請求項１４】
前記フォトダイオードアレイと前記スイッチ部とをバンプにより電気的に接続するバンプボンディング部と、前記スイッチ部と前記フレキシブルプリント基板とをワイヤにより電気的に接続するワイヤボンディング部とを更に備える特徴とする請求項８、９、１０のいずれか１項記載のＸ線ＣＴシステム。
【請求項１５】
前記フォトダイオードアレイと前記スイッチ部とを、及び前記スイッチ部と前記フレキシブルプリント基板とを、ワイヤボンディング部及びバンプボンディング部で電気的に接続することを特徴とする請求項８、９、１０のいずれか１項記載のＸ線ＣＴシステム。
【請求項１６】
Ｘ線を曝射するＸ線管と、
このＸ線管から曝射されたＸ線を検出する放射線検出器と、
この放射線検出器の出力を収集するデータ収集部と、
このデータ収集部により収集された信号に基づき画像を再構成する画像再構成部を備えたＸ線ＣＴシステムにおいて、
前記放射線検出器は、
第1のプリント配線板と、
この第1のプリント配線板に設けられ、シンチレータによりＸ線から変換された光を電気信号に変換するマトリックス状のフォトダイオードアレイと、
前記第1のプリント配線板に設けられ、前記フォトダイオードアレイにより変換された電気信号を束ねる若しくは選択するスイッチ部と、
このスイッチ部により束ね若しくは選択された電気信号を外部に取り出すためのフレキシブルプリント基板とを備え、
前記フレキシブル基板からの電気信号を、コネクタ、第２のプリント配線基板を介して前記データ収集部に供給することを特徴とするＸ線ＣＴシステム。
【手続補正３】
【補正対象書類名】明細書
【補正対象項目名】０００１
【補正方法】変更
【補正の内容】
【０００１】
【発明の属する技術分野】
本発明は、Ｘ線等の放射線を直接電気信号に変換したり、放射線を可視光等に変換した
後、電気信号に変換する放射線検出器及びＸ線ＣＴシステムに関するものである。
【手続補正４】
【補正対象書類名】明細書
【補正対象項目名】０００８
【補正方法】変更
【補正の内容】
【０００８】
【発明が解決しようとする課題】
しかしながら、図１０に示すような体軸方向に検出素子が分割されている放射線検出器
ブロックを複数有する検出器を用いる場合でも、全ての検出素子をデータ収集装置と１対
１に接続することは基板の実装上あるいは配線上かなり困難である。また、接続できたと
してもデータ収集装置の実装上の都合や価格の問題で検出素子数より少ない数のデータ収
集装置を使用することがある。このような場合、検出素子の出力をスイッチ等で切り替え
ることにより、見かけ上の検出素子数を減少させ、あるいは必要とする部分だけ選択し、
利用することが考えられている。
【手続補正５】
【補正対象書類名】明細書
【補正対象項目名】００１１
【補正方法】変更
【補正の内容】
【００１１】
本発明は、上記課題に鑑みてなされたもので、製造プロセス上の制約や実装上の制約を
受けずに、必要とする信号を取り出すことが可能な放射線検出器及びＸ線ＣＴシステムを
提供することを目的とする。
【手続補正６】
【補正対象書類名】明細書
【補正対象項目名】００１２
【補正方法】変更
【補正の内容】
【００１２】
【課題を解決するための手段】
上記目的を達成するため請求項１記載の発明は、入射する放射線を電気信号に変換する
放射線検出手段と、この放射線検出手段により変換された電気信号を束ねるもしくは選択
する束ね・選択手段と、この束ね・選択手段により束ねるもしくは選択された電気信号を
取り出す配線手段と、前記放射線検出手段と前記束ね・選択手段との間と、前記束ね・選
択手段と配線手段との間を電気的に接続する接続手段と、を有し、前記束ね・選択手段の
出力信号線の数を放射線検出手段の出力信号線の数より減少させることを特徴とするもの
である。
また上記目的を達成するため請求項５記載の発明は、入射する放射線を光に変換するシ
ンチレータ素子を２次元状に配列したシンチレータと、前記シンチレータ素子からの光を
電気信号に変換するフォトダイオードを２次元状に配列したフォトダイオードアレイと、
前記フォトダイオードアレイにより変換された電気信号を束ねるもしくは選択する束ね・
選択手段と、この束ね・選択手段により束ねるもしくは選択された電気信号を取り出す配
線手段と、を有し、束ね・選択手段の出力信号線の数を前記フォトダイオードアレイの出
力信号線の数より減少させ、前記フォトダイオードアレイと前記束ね・選択手段との間と
、前記束ね・選択手段と前記配線手段との間をワイヤボンディングもしくはバンプボンデ
ィングにより電気的に接続することを特徴とするものである。
また上記目的を達成するため請求項８記載の発明は、Ｘ線を曝射するＸ線管と、このＸ
線管から曝射されたＸ線を検出する放射線検出器と、この放射線検出器の出力を収集する
データ収集部と、このデータ収集部により収集された信号に基づき画像を再構成する画像
再構成部を備えたＸ線ＣＴシステムにおいて、前記放射線検出器は、プリント配線板と、
このプリント配線板に設けられ、シンチレータによりＸ線から変換された光を電気信号に
変換するマトリックス状のフォトダイオードアレイと、前記プリント配線板に設けられ、
前記フォトダイオードアレイにより変換された電気信号を束ねる若しくは選択するスイッ
チ部と、このスイッチ部により束ね若しくは選択された電気信号を外部に取り出すための
フレキシブルプリント基板とを備えたことを特徴とするものである。
さらに上記目的を達成するため請求項１６記載の発明は、Ｘ線を曝射するＸ線管と、こ
のＸ線管から曝射されたＸ線を検出する放射線検出器と、この放射線検出器の出力を収集
するデータ収集部と、このデータ収集部により収集された信号に基づき画像を再構成する
画像再構成部を備えたＸ線ＣＴシステムにおいて、前記放射線検出器は、第1のプリント
配線板と、この第1のプリント配線板に設けられ、シンチレータによりＸ線から変換され
た光を電気信号に変換するマトリックス状のフォトダイオードアレイと、前記第1のプリ
ント配線板に設けられ、前記フォトダイオードアレイにより変換された電気信号を束ねる
若しくは選択するスイッチ部と、このスイッチ部により束ね若しくは選択された電気信号
を外部に取り出すためのフレキシブルプリント基板とを備え、前記フレキシブル基板から
の電気信号を、コネクタ、第２のプリント配線基板を介して前記データ収集部に供給する
ことを特徴とするものである。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００５０
【補正方法】変更
【補正の内容】
【００５０】
【発明の効果】
以上説明したように本発明によれば、製造プロセス上の制約や実装上の制約を受けずに
、必要とする信号を取り出すことが可能となる。
【手続補正１５】
【補正対象書類名】明細書
【補正対象項目名】００５１
【補正方法】削除
【補正の内容】